(57)【要約】      （修正有）【課題】ケーブルを束ねる際に使用される結束手段の量が従来よりも大幅に削減され、かつ移動部分での使用にも適したケーブルハーネスを提供する。【解決手段】ケーブルハーネスを構成するケーブルを複数の束に分割し、例えば３束に分割した際には分割された３つの束が３つ編みに編まれて結束されると共に、編みを解くことで結束を解き、元の結束されていない状態に戻すことができるように３つ編み部を構成する。【選択図】図２
2015212999.tif 000002
【特許請求の範囲】
【請求項１】
複数のケーブルと、
前記複数のケーブルの一端が平面状に配列されて接続される第１接続部材と、
前記複数のケーブルの他端が平面状に配列されて接続される第２接続部材とを有するケーブルハーネスであって、以下（ａ）〜（ｃ）の特徴を有するもの。
（ａ）該複数のケーブルはｎ束（ｎは２以上の整数）のケーブル群に分割されている。
（ｂ）該ｎ束のケーブル群がｎつ編みされたｎつ編み部が存在する。
（ｃ）該ｎつ編み部の編みを解くことで、該複数のケーブルの全てを、該第１接続部材と該第２接続部材の間で互いに略平行かつ略平面状の配列状態に戻すことができる。
【請求項２】
編み起点部が該複数のケーブルの長さ方向の任意の場所に設けられ、該編み起点部の両側に、該編み起点部を対称中心として、該ｎつ編み部が左右対称の形状となるように形成されていることを特徴とする、請求項１に記載のケーブルハーネス。
【請求項３】
該編み起点部が結束手段によって結束されていることを特徴とする、請求項２に記載のケーブルハーネス。
【発明の詳細な説明】
【技術分野】
【０００１】
本発明はケーブルハーネス、特に携帯電話など小型電子機器の電気配線に使用されるケーブルハーネスに関するものである。
【背景技術】
【０００２】
近年、携帯電話やノートパソコン、ＰＤＡ（携帯情報端末）に代表される小型電子機器が普及している。これらの小型電子機器は小型化に加えて、信号の高速伝送化が要求されている。
【０００３】
また、これらの小型電子機器は操作部と液晶表示部とが開閉移動・捻回移動・スライド移動など相対移動可能に構成されているものが多い。操作部と液晶表示部の電気的な接続など、小型電子機器における電気配線には、複数本のケーブルを並列に整列し、両端にコネクタやプリント基板といった接続部材を設けたケーブルハーネスが使用されることが多い。
【０００４】
このケーブルハーネスは通常、小型電子機器内の限られた配線スペースへの収容、操作部と液晶表示部が相対移動する際に発生するケーブルへの負荷低減といった目的で、図１に示したように結束手段を用いて接続部材間のケーブルを束ねて使用されることが多い。
【０００５】
結束手段としては、特許文献１に記載されたテープ、特許文献２に記載された熱収縮チューブ、特許文献３に記載された編組スリーブなどが知られている。
【０００６】
しかしながら、結束手段を使用してケーブルを束ねる場合、ケーブル被覆材料、あるいは結束手段に含まれる成分によって、両者の間で化学的な作用が発生し、ケーブル被覆、あるいは結束手段が劣化することがある。そのため、安易に結束手段を使用できない場合も存在する。
【０００７】
また、結束手段によっては、結束手段自身の屈曲性などが影響して、ケーブルが有する本来の屈曲性を十分に発揮できないこともある。
【０００８】
加えて、結束手段の使用によって材料費が発生し、ケーブルハーネスのコストアップにも繋がる。小型電子機器の低価格化が進む昨今では、当業者にとって見過ごせない問題である。
【先行技術文献】
【特許文献】
【０００９】
【特許文献１】特開２００９−００４２２５号公報
【特許文献２】特開２００９−２７２１２６号公報
【特許文献３】特開２００９−１２３６７３号公報
【発明の開示】
【発明が解決しようとする課題】
【００１０】
本発明の課題は、ケーブルを束ねる際に使用される結束手段の量が従来よりも大幅に削減され、かつ移動部分での使用にも適したケーブルハーネスを提供することである。
【課題を解決するための手段】
【００１１】
発明者は、ケーブルの束ね方を鋭意検討した結果、ケーブルハーネスを構成するケーブルを複数の束に分割し、例えば３束に分割した際には分割された３つの束が３つ編みに編まれて結束されると共に、編みを解くことで結束を解き、元の結束されていない状態に戻すことができるように束ねたケーブルハーネスによって、上記の課題を解決できることを見出した。
【００１２】
本発明のケーブルハーネスは、複数のケーブルと、該複数のケーブルの一端が平面状に配列されて接続される第１接続部材と、該複数のケーブルの他端が平面状に配列されて接続される第２接続部材とを有し、以下（ａ）〜（ｃ）の特徴を有するものである。
（ａ）該複数のケーブルはｎ束（ｎは２以上の整数）のケーブル群に分割されている。
（ｂ）該ｎ束のケーブル群がｎつ編みされたｎつ編み部が存在する。
（ｃ）該ｎつ編み部の編みを解くことで、該複数のケーブルの全てを、該第１接続部材と該第２接続部材の間で互いに略平行かつ略平面状の配列状態に戻すことができる。
【発明の効果】
【００１３】
本発明のケーブルハーネスは、以下に示す優れた効果を有する。
・ｎつ編みを行うことによって、テープなどの結束手段を使用しなくても、ケーブルを束ねることができる。
・結束手段が無いため、ケーブルハーネスの屈曲性が結束手段の屈曲性に左右されない。
・ケーブルの１本１本が互いに固定されていないため、屈曲によるケーブルへの負荷が緩和され、ケーブル束の形状にも柔軟性がある。
・編み部を解くことができるため、ケーブルハーネス完成後に編み部の長さ調整が可能であり、編み部の無いケーブルハーネスとしても利用することができる。
【図面の簡単な説明】
【００１４】
【図１】従来のケーブルハーネスの一例である。
【図２】本発明のケーブルハーネスの一例である。
【図３】本発明のケーブルハーネスの別の態様である。
【図４】本発明のケーブルハーネスの製造方法の一例である。
【発明を実施するための形態】
【００１５】
以下、本発明のケーブルハーネスの態様について図２を参照しながら述べる。図２はｎつ編み部を３つ編みとした場合の本発明である。なお、ｎつ編み部は３つ編みのみに限定されず、２つ編み、４つ編みなどを必要に応じて適宜選択すれば良い。
【００１６】
図２において、１は本発明のケーブルハーネス、２はケーブル、３ａは第１接続部材、３ｂは第２接続部材、４はｎつ編み部（３つ編み部）である。
本発明で特徴的なことは、ｎつ編み部４を解いて複数のケーブル２の全てを、該第１接続部材３ａと該第２接続部材３ｂの間で互いに略平行かつ略平面状の配列状態に戻せることである。
【００１７】
ケーブル２をｎ束に分け、ｎつ編みにすることで、結束手段を使用することなく、第１、第２接続部材３ａ、３ｂの間でケーブル２を束ねることができる。また、結束手段が無いことで、結束手段自身の屈曲性にケーブルハーネス１の屈曲性が左右されない。
【００１８】
加えて、ケーブル２の１本１本は固定されていないため、屈曲によってケーブル２に負荷が掛かっても、ケーブル２が負荷に応じて移動・変形することで負荷が緩和され、ケーブル束の形状も負荷に応じて柔軟に変形することができる。
【００１９】
ｎつ編み部４を解くことができるため、ケーブルハーネス１の完成後に、ケーブルハーネス１を収容する空間に応じてｎつ編み部４の長さ調整が可能であり、完全にｎつ編み部４を解いて、ｎつ編み部４のない、ケーブル２が全て第１接続部材３ａと第２接続部材３ｂの間で互いに略平行かつ略平面状の配列状態となったケーブルハーネスとしても利用でき、逆に略平行かつ略平面状のケーブル配列状態から再度、ｎつ編み部４を設けることも可能である。
【００２０】
ケーブル２としては、導体上に被覆を押し出した周知の電線、中心導体・誘電体・外部導体・外皮を有する周知の同軸ケーブルなどを、ケーブルハーネスの使用目的に応じて適宜選択して使用すれば良い。本発明のようなケーブルハーネスには、良好な通信特性と屈曲性を有し、狭い空間への配線に適した、外径０．１〜２ｍｍ程度の極細同軸ケーブルを使用するのが好ましい。
【００２１】
第１接続部材３ａ、第２接続部材３ｂは使用されるケーブル、ケーブルハーネスの使用目的などに応じて電線用コネクタ、同軸ケーブル用コネクタ、あるいはプリント基板など周知の接続部材を適宜選択して使用すれば良い。第１、第２接続部材３ａ、３ｂは同種のものでも良いし、異なった種類のものを組合せて使用しても良い。
【００２２】
先述の特徴（ｃ）を得るために、特に好ましいケーブルハーネスは、図２に示したような、編み起点部５が複数のケーブル２の長さ方向の任意の場所に設けられ、編み起点部５の両側に、編み起点部５を対称中心として、ｎつ編み部４が左右対称の形状となるように形成されたものである。
【００２３】
編み起点部５の両側に、編み起点部５を対称中心として、左右対称にｎつ編み部４を設けることで、編み起点部５からｎつ編み部４を容易に解くことができる。
【００２４】
「編み起点部５を対称中心として、ｎつ編み部４が左右対称」とは、ｎつ編み部４が図形的に厳密に左右対称である必要は無く、左右での編み回数が等しく、編み方が左右対称になっていれば十分である。
【００２５】
編み起点部５は編まれていないため、ｎつ編み部４と比較してケーブル束が解けやすい。ケーブルハーネス１を使用するにあたって、編み起点部５でケーブル束が解けてしまうことが不都合な場合は、図３に示したように、編み起点部５をテープや編組スリーブなどの結束手段６によって結束しても良い。
【００２６】
なお、本発明は結束手段を極力使用せずにケーブルを束ねることに主眼をおいたものであるが、結束手段を全く使用しないことを意図したものではなく、ケーブルハーネスに特別の保護などが必要な場合は、ｎつ編み部の上に結束手段を設けても良い。
【実施例】
【００２７】
以下、本発明のケーブルハーネスの製造方法の一例を、図４を参照しながら述べる。
【００２８】
複数のケーブル２を図４（ａ）に示したように、略平行かつ略平面状に整列させる。図４はケーブル２の本数が１２本の場合を示す。説明の便宜上、１２本のケーブルを図４において上から順に２ａ、２ｂ、・・・、２ｌと付番する。
【００２９】
図４（ｂ）に示したように、複数のケーブル２の長さ方向の中心部をテープなどで固定し、編み起点部５とする。
なお、編み起点部５を設ける場所は複数のケーブル２の長さ方向の中心部に限定されず、ケーブルハーネス１の使用箇所などに応じて任意の場所に設けて良い。
さらに、ケーブル２を４本ずつ、３束に分割し、３つ編み部４を形成する際に隣り合うケーブルの位置関係が変わらないよう先端部を固定する。
【００３０】
図４（ｃ）に示したように、編み起点部５を起点として、編み起点部５の右側のケーブルを３つ編みに編んで行き、３つ編み部４を形成する。
編む回数は特に限定されず、所望する３つ編み部４の長さに応じて編めば良いが、
編んだ後、ケーブル先端における隣り合うケーブルの位置関係は図４（ａ）と同じ状態、すなわち上から２ａ、２ｂ、・・・、２ｌの順番にする必要がある。
【００３１】
必要な長さだけ編んだら、図４（ｄ）に示すよう、ケーブル２の先端に第１接続部材３ａを接続する。
【００３２】
続いて、編み起点部５が対称中心となって３つ編み部４の形状が左右対称となるよう、編み起点部５の左側に向かってケーブルを３つ編みに編んで行く。
【００３３】
右側の３つ編み部と同じ回数だけ編み、ケーブル先端における隣り合うケーブルの位置関係を図Ｘと同じく２ａ、２ｂ、・・・、２ｌの順番に並べたら、ケーブルの先端に第２接続部材３ｂを接続することで、３つ編み部４を有するケーブルハーネス１が得られる。
【００３４】
以上述べたケーブルハーネスを得る方法は一例であり、ｎつ編み部を解いて複数のケーブルの全てを互いに略平行かつ略平面状の配列状態に戻すことができるケーブルハーネスが得られるなら、この方法に限定されない。
例えば、左右対称のｎつ編み部を同時に形成する方法や、接続部材をケーブルに接続した後、ｎつ編み部を形成する方法を採用しても良い。
【産業上の利用可能性】
【００３５】
本発明のケーブルハーネスは小型電子機器の電気配線をはじめ、ケーブルハーネスが使用される様々な場面・用途に利用できる。
また、本発明に採用したケーブルの編み方は、ケーブル両端に接続部材を設けていない、ケーブル集合体にも好適に利用可能である。
【符号の説明】
【００３６】
１    ケーブルハーネス
２    ケーブル
３    接続部材
３ａ  第１の接続部材
３ｂ  第２の接続部材
４    ｎつ編み部
５    編み起点部
６    結束手段
【図１】
2015212999.tif 000003
【図２】
2015212999.tif 000004
【図３】
2015212999.tif 000005
【図４】
2015212999.tif 000006
【手続補正書】
【提出日】平成27年6月26日(2015.6.26)
【手続補正１】
【補正対象書類名】特許請求の範囲
【補正対象項目名】請求項１
【補正方法】変更
【補正の内容】
【請求項１】
複数のケーブルと、
前記複数のケーブルの一端が平面状に配列されて接続される第１接続部材と、
前記複数のケーブルの他端が平面状に配列されて接続される第２接続部材とを有するケーブルハーネスであって、以下（ａ）〜（ｃ）の特徴を有するもの。
（ａ）該複数のケーブルはｎ束（ｎは２以上の整数）のケーブル群に分割されている。
（ｂ）該ｎ束のケーブル群がｎつ編みされたｎつ編み部が存在する。
（ｃ）該ｎつ編み部の編みを解くことで、該複数のケーブルの全てを、該第１接続部材と該第２接続部材の間で互いに略平行かつ略平面状の配列状態に戻すことが、該複数のケーブルに該第１接続部材と該第２接続部材の両方が接続された、ケーブルハーネスの完成後に可能である。
【手続補正２】
【補正対象書類名】明細書
【補正対象項目名】００１２
【補正方法】変更
【補正の内容】
【００１２】
本発明のケーブルハーネスは、複数のケーブルと、該複数のケーブルの一端が平面状に配列されて接続される第１接続部材と、該複数のケーブルの他端が平面状に配列されて接続される第２接続部材とを有し、以下（ａ）〜（ｃ）の特徴を有するものである。
（ａ）該複数のケーブルはｎ束（ｎは２以上の整数）のケーブル群に分割されている。
（ｂ）該ｎ束のケーブル群がｎつ編みされたｎつ編み部が存在する。
（ｃ）該ｎつ編み部の編みを解くことで、該複数のケーブルの全てを、該第１接続部材と該第２接続部材の間で互いに略平行かつ略平面状の配列状態に戻すことが、該複数のケーブルに該第１接続部材と該第２接続部材の両方が接続された、ケーブルハーネスの完成後に可能である。
【手続補正３】
【補正対象書類名】明細書
【補正対象項目名】００３３
【補正方法】変更
【補正の内容】
【００３３】
右側の３つ編み部と同じ回数だけ編み、ケーブル先端における隣り合うケーブルの位置関係を図４（ｃ）と同じく２ａ、２ｂ、・・・、２ｌの順番に並べ、図４（ｅ）の状態としたら、図４（ｆ）に示すよう、ケーブルの先端に第２接続部材３ｂを接続することで、３つ編み部４を有するケーブルハーネス１が得られる。